(57)【要約】【課題】フライフィッシングの釣り糸接続において、リーダー、フライライン間に起こり得る水による抵抗を極めて小さく出来る事。また、リーダーの交換がフライラインを損傷することなく、カッター以外の補助具を使うこともなく容易かつ迅速に行うことが出来るようにする事。更に、一般の釣りやルアー釣りにおいても使用できるものにする事。これらを課題とする。【解決手段】使用する釣り糸よりやや太いだけの超延伸材の管１１ａの内側に接着剤１１ｂと極細巻線１１ｃを構成することで、手で引っ張る以外には、不要となった部分をカッターで切除するだけの容易かつ迅速な交換を行える釣り糸接続具１１を発明した。また、その両端に各種用途に応じた形状１５や構造１６等を有する事で多くの釣り方に対応できるものとした。【選択図】                図６
2011062185.tif 000002
【特許請求の範囲】
【請求項１】
超延伸材を主体として用いる釣り糸接続具。
【請求項２】
請求項１の超延伸材を用いた管の内面に接着剤の層を有し、使用前における接着防止のための極細巻線に依る内面被服を行った構造を有する釣り糸接続具。
【発明の詳細な説明】
【技術分野】
【０００１】
本発明は、釣り糸の接続具に関するものである。
【背景技術】
【０００２】
従来、フライフィッシングに使用される釣り糸は、一般的に、一端をリールに結着する
編み糸からなるバッキングラインと、このバッキングラインに接続する、編み糸の周りを
Ｐ Ｖ Ｃ (ポリ塩化ビニール)でコーティングしたフライラインと、このフライラインと接続され、他端にフライを結束したリーダーとから構成されている。
而して、先糸であるリーダーは、フライラインにネイルノット、オルブライトノットなどのノット（ 結び目） を用いて接続されるか、プラスチック製のリーダーコネクターで接続するか、或いはスプライスと言われる針を用いてリーダーの先端をフライラインの中に引き込んでエポキシ樹脂や接着剤などを使い固定する方法が用いられてきた。
又、フライラインの先端にブレイデッドループと呼ばれる環状のループを取付けて、これにリーダーの末端に設けられた環を通して接続する方法もあった。
更に、特許文献３の様に、熱収縮チューブのカバーを用いたリーダーを交換でき、水による抵抗を極めて小さく出来るフライラインへの接続方法も考案されている。
【先行技術文献】
【特許文献】
【０００３】
【特許文献１】特開２００２−１２５５４９
【特許文献２】特開２００６−６７９２２
【特許文献３】特開２００６−３２５４３９
【特許文献４】特許第４２３９１６４号
【発明の概要】
【発明が解決しようとする課題】
【０００４】
従来の方法では、フライライン先端部に形成された結び目、若しくは取付けられたパーツ等により、水中及び水面上においてより多くの水による抵抗が起きる。
また、ループ以外の方法では、リーダーを交換する際に、フライラインからリーダーを切断しなければならず、これによって、フライラインの先端部が短くなってしまう。この作業を繰り返すことで先端部がどんどん短くなってしまいフライラインの先端部が欠損する事で重要なテーパーに支障をきたす。
更に、これらの問題を解決するためのブレイデッドラインと熱収縮チューブを使用する特許文献３の方法では、細糸を巻き付ける作業と７０〜８０度に加熱する装置が必要である。これも、釣りをする上で大きなマイナス面である。
なお、フライフィッシング以外でも使用できるものが少ないのが現状である。
【０００５】
従って、第１に、リーダー、フライライン間に起こり得る水による抵抗を極めて小さく出来る事。第２に、リーダーの交換が、フライラインを損傷することなくより容易に短時間で出来、カッター以外に補助用具を必要としないで行うことが出来る事。第３に、ルアー釣りでのルアー取替や、一般の釣りでの釣り糸繋ぎにも使えるものである事の３点を課題とする。
【課題を解決するための手段】
【０００６】
本発明に係る釣り糸接続具１１は、上記課題を達成するために、超延伸材を用いた管１１ａの内面に接着剤１１ｂの層を有し、使用前における接着防止のための極細巻線１１ｃに依る内面被服を行った構造を基本型とする。
【０００７】
使用に当たっては、釣り糸接続具１１の内部に、両端又は一端から釣り糸１８を挿入し、次いで釣り糸接続具１１の両端を引っ張る事で釣り糸接続具１１を延伸させつつ、内部の極細巻線１１ｃの隙間を広げ、その間から出る接着剤１１ｂで、釣り糸接続具１１と釣り糸１８を接着させる事により釣り糸１８を繋ぐものである。
【０００８】
この釣り糸接続具１１の両端又は一端に指を掛ける為の環１２を設け、引っ張り易くする。なお、この環１２は釣り糸１８を繋いだ後にカッターなどで切り落とす。
【０００９】
なお、この釣り糸接続具１１には引っ張により延伸を開始する場所を決めるための浅い延伸開始溝１３を設ける。
更に、この釣り糸接続具１１の一端にはルアー用などの用途に応じた各種形状や構造を持たせることが出来る。
【発明の効果】
【００１０】
本発明によれば、太さの異なる釣り糸１８の接続や、ルアーの取替、フライラインへのリーダーのライン損傷の無い容易な接続と取替ができると共に、水による抵抗が極めて少ないリーダーとフライラインの接続が出来る。悪条件下で釣りを行う場合等にも迅速に対応できるので大変有用である。
【図面の簡単な説明】
【００１１】
【図１】極細巻線と接着剤の成形
【図２】管状延伸材
【図３】延伸材の成形溶着
【図４】両端部成形
【図５】構造断面斜視図
【図６】締結説明図
【図７−ａ】ライン同士の接続−１平面図
【図７−ｂ】ライン同士の接続−２正面図
【図７−ｃ】ライン同士の接続−３締結時
【図８−ａ】ルアー等への接続−１平面図
【図８−ｂ】ルアー等への接続−２正面図
【図８−ｃ】ルアー等への接続−３締結時
【図８−ｄ】ルアー等への接続−４ルアーへの接続
【図９−ａ】リーダー交換用−１平面図
【図９−ｂ】リーダー交換用−２正面図
【図１０−ａ】フライライン・リーダー接続器−１平面図
【図１０−ｂ】フライライン・リーダー接続器−２正面図
【図１０−ｃ】フライライン・リーダー接続器−３接続状態平面図
【図１０−ｄ】フライライン・リーダー接続器−４接続状態正面図
【発明を実施するための形態】
【００１２】
この釣り糸接続具１１の製造に当たっては、図１の様に丸棒１１ｄに巻き付けた極細巻線１１ｃの外側に接着剤１１ｂを均一に塗り、その外に図２の管状に成形した超延伸材１１ａを図３の様に加熱成形接着し、両端は図４の様に板状に加熱成形したものから打ち抜く等の方法で作り、使用対象の釣り糸１８の太さにより、太さや長さの異なるもの、両端部の形状や構造の異なるものを各種作成する。
【００１３】
基本構造は図５の様に超延伸材の管１１ａの内側に接着剤１１ｂの層を持ち、更にその内側に極細巻線１１ｃを一重に巻いて、釣り糸１８挿入時に釣り糸１８が接着剤１１ｂに触れない様にしている。
【００１４】
次に、図６に示す様に、この釣り糸接続具１１の両端を引っ張ることで、超延伸材の管１１ａが細長く引き延ばされつつ強度を増していく。この過程で極細巻線１１ｃも引き延ばされ、極細巻線１１ｃの螺旋の間に隙間が生じ、接着剤１１ｂが押し出されて、釣り糸１８に付着する。また、極細巻線１１ｃの螺旋の隙間に接着剤が充填されることで、接着剤１１ｂの層が管状から螺旋状になるために接着剤１１ｂの流動を押さえ、より、釣り糸接続具１１と釣り糸１８との接続を強固なものにする。
【実施例１】
【００１５】
図７−ａや図７−ｂ及び図７−ｃに示す様に両端に指を掛ける為の環１２を持つ基本的な型で、２本の釣り糸１８を接続する他に実施例４でのリーダー等の端部に用いて結び目の代わりとする事などが出来る。
【実施例２】
【００１６】
図８−ａや図８−ｂや図８−ｃ及び図８−ｄに示す様に片側に指を掛ける為の環１２を持ち、他端には釣り糸を結びつけるルアーのアイやスプリットリング等２０に直接取り付ける為の細長い環１４を持つ型で、錘を付けるのにも使える。
【実施例３】
【００１７】
図９−ａや図９−ｂに示す様に片側に指を掛ける為の環１２を持ち、他端にリーダー等の釣り糸１８を通して結び目１９で固定し、結び目１９を格納できる端部形状１５を持つ型で、フライフィッシング以外にもリーダーにジグを付けることでルアーフィッシング用にすることも出来る。
【実施例４】
【００１８】
図１０−ａや図１０−ｂや図１０−ｃ及び図１０−ｄに示す様に片側に指を掛ける為の環１２を持ち、結び目１９を用いずにリーダー等を簡単に接続するための端部構造１６を持つ型で、実施例３での結び目１９の代わりに釣り糸接続具１１を用い、より、水の抵抗を少なくする事が出来る。
この端部構造１６の先端部は二股に分かれ釣り糸１８を挟み込み、釣り糸１８の脱落防止のためのキャップ１７を被せる様にしてある。このキャップ１７には端部構造１６に設けられたキャップの爪を受ける溝１６ｄとかみ合う爪１７ｄがある。
【産業上の利用可能性】
【００１９】
以上説明した様に、本発明は、水による抵抗が極めて少ない釣り糸の接続や、ルアーの取替、フライラインへのリーダーの損傷の無い接続と取替が容易かつ迅速に行える釣り糸接続具として有用である。
【符号の説明】
【００２０】
１１      釣り糸接続具
１１ａ    超延伸材の管
１１ｂ    接着剤
１１ｃ    極細巻線
１１ｄ    丸棒
１２      指を掛ける為の環
１３      延伸開始溝
１４      ルアー等を直接接続するための細長い環
１５      リーダー等を通して結び目で固定し、結び目を格納できる端部形状
１６      結び目を用いずにリーダー等を簡単に接続するための端部構造
１６ｄ    結び目を用いずにリーダー等を簡単に接続するための端部構造に設けられたキャップの爪を受ける溝
１６ｅ    結び目を用いずにリーダー等を簡単に接続するための端部構造に設けられたリーダー等を通す為の切断部
１７      釣り糸の脱落防止のためのキャップ
１７ｄ    釣り糸の脱落防止のためのキャップに設けられた爪
１８      釣り糸
１９      結び目
２０      釣り糸を結びつけるルアーのアイやスプリットリング等
【図１】
2011062185.tif 000003
【図２】
2011062185.tif 000004
【図３】
2011062185.tif 000005
【図４】
2011062185.tif 000006
【図５】
2011062185.tif 000007
【図６】
2011062185.tif 000008
【図７−ａ】
2011062185.tif 000009
【図７−ｂ】
2011062185.tif 000010
【図７−ｃ】
2011062185.tif 000011
【図８−ａ】
2011062185.tif 000012
【図８−ｂ】
2011062185.tif 000013
【図８−ｃ】
2011062185.tif 000014
【図８−ｄ】
2011062185.tif 000015
【図９−ａ】
2011062185.tif 000016
【図９−ｂ】
2011062185.tif 000017
【図１０−ａ】
2011062185.tif 000018
【図１０−ｂ】
2011062185.tif 000019
【図１０−ｃ】
2011062185.tif 000020
【図１０−ｄ】
2011062185.tif 000021
【手続補正書】
【提出日】平成21年12月2日(2009.12.2)
【手続補正１】
【補正対象書類名】特許請求の範囲
【補正対象項目名】全文
【補正方法】変更
【補正の内容】
【特許請求の範囲】
【請求項１】
超延伸材を用いた管の内面に接着剤の層を有し、使用前における接着防止のために、この接着剤の層の内面に極細巻線による被覆を施した構造を有するもので、使用に当たってはこの管の中に釣り糸を挿入した後に、この管を引き延ばし釣り糸に密着させることで、釣り糸をこの管に接着保持する釣り糸接続具。